(57)【特許請求の範囲】
【請求項１】
冷蔵庫本体の上部に上把手を設けるとともに下部に足部材を設けた冷蔵庫であって、前記冷蔵庫本体の底面に凹部を設け、この凹部に把手部材を埋め込んで凹部自体を下把手とし、前記把手部材には放熱パイプを固定する係合部を設けたことを特徴とする冷蔵庫。
【請求項２】
前記下把手となる前記凹部は、前記冷蔵庫本体の底面の前後方向の中心から手前側部分の間の底面に形成したことを特徴とする請求項１に記載の冷蔵庫。
【請求項３】
前記冷蔵庫本体の底面を発泡断熱材で断熱するとともに、更に真空断熱板が設けられていることを特徴とする請求項１または２に記載の冷蔵庫。
【発明の詳細な説明】
【技術分野】
【０００１】
本発明は冷蔵庫、特にその搬送用把手構成に関するものである。
【背景技術】
【０００２】
一般に冷蔵庫は、複数の貯蔵室を備えた冷蔵庫本体の上部後方と下部前方部分に搬送用の把手を設け、その把手を持って運搬するようになっている（例えば、特許文献１参照）。
【０００３】
図１０は特許文献１に記載された冷蔵庫を示し、この冷蔵庫は、冷蔵本体１０１の上部後方に上把手１０２、下部前方部分に下把手１０３が設けてある。そして、冷蔵庫本体１０１の前記下把手１０３と対向する底面部分に凹部１０４が設けてある。
【０００４】
この冷蔵庫は、凹部１０４を設けたことによって冷蔵庫本体１０１の底面を低く維持したまま下把手１０３の握り隙間を確保でき、冷蔵庫本体内容積を減少させることなく下把手１０３を握りやすくできる。
【先行技術文献】
【特許文献】
【０００５】
【特許文献１】特開２００１−５０６４１号公報
【発明の概要】
【発明が解決しようとする課題】
【０００６】
しかしながら、前記従来の冷蔵庫は、冷蔵庫本体内容積を減少させることなく下把手１０３を握りやすくすることができるとはいうものの、凹部１０４と対向して下把手１０３を設けているためその分だけ冷蔵庫本体１０１の底面は高くしなければならず、冷蔵庫本体の内容積確保にはさらに改善の余地があった。
【０００７】
また、この冷蔵庫の下把手１０３は冷蔵庫本体１０１の足組品１０５を利用して形成しているため、当該足組品１０５近傍に位置する様になり、大型化に伴って横幅寸法が大きくなっている最近の冷蔵庫にあっては、前記下把手１０３の左右間寸法が長くなって持ちづらくなるとともに、下把手１０３を持った時に腕の脇が広がって力が入りにくく、搬送しにくい、という課題もあった。
【０００８】
本発明はこのような点に鑑みてなしたもので、冷蔵庫本体の内容積減少をさらに少ないものにすると同時に手掛けが容易で力も入れやすく搬送のしやすい把手構成を持つ冷蔵庫の提供を目的としたものである。
【課題を解決するための手段】
【０００９】
本発明の冷蔵庫は、冷蔵庫本体の上部に上把手を設けるとともに下部に足部材を設けた冷蔵庫であって、前記冷蔵庫本体の底面に凹部を設け、この凹部に把手部材を埋め込んで凹部自体を下把手とし、前記把手部材には放熱パイプを固定する係合部を設けたことを特徴とする。
【００１０】
これにより、凹部と対向させて別途把手を設ける必要がなくなり、その分冷蔵庫本体の底面を低くできて冷蔵庫本体内容積を大きく確保することができるとともに、前記凹部は冷蔵庫本体底面に形成するものであるから、冷蔵庫本体の足部品によって位置制約されるようなことがなく、使用者が手をかけて持った時に最も力の入りやすい位置に設けることができ、搬送性を向上させることができる。
【発明の効果】
【００１１】
本発明は、上記した構成によって、冷蔵庫本体の内容積減少をさらに少ないものとすることできると同時に手掛けが容易で力も入れやすく搬送のしやすい冷蔵庫とすることができる。
【図面の簡単な説明】
【００１２】
【図１】本発明の実施の形態１における冷蔵庫の斜視図
【図２】同実施の形態１における冷蔵庫の縦断面図
【図３】同実施の形態１における冷蔵庫の冷蔵庫本体下部底面の断面図
【図４】同実施の形態１における冷蔵庫の下把手部分の断面図
【図５】同実施の形態１における冷蔵庫の冷蔵庫本体の底面図
【図６】同実施の形態１における冷蔵庫の冷蔵庫本体底面を示す斜視図
【図７】同実施の形態１における冷蔵庫の冷蔵庫本体底面を示す分解斜視図
【図８】（ａ）（ｂ）同実施の形態１における冷蔵庫の下把手を示す斜視図、（ｃ）同下把手の断面図
【図９】同実施の形態１における冷蔵庫の搬送状態を示す説明図
【図１０】従来の冷蔵庫の断面図
【発明を実施するための形態】
【００１３】
第１の発明は、冷蔵庫本体の上部に上把手を設けるとともに下部に足部材を設けた冷蔵庫において、前記冷蔵庫本体の下部底面に凹部を設け、この凹部に把手部材を埋め込んで凹部自体を下把手とした構成としてある。
【００１４】
これにより、凹部と対向させて別途把手を設ける必要がなくなり、その分冷蔵庫本体の底面を低くできて冷蔵庫本体内容積を大きく確保することができるとともに、前記凹部は冷蔵庫本体底面に形成するものであるから、冷蔵庫本体の足部品によって位置制約されるようなことがなく、使用者が手をかけて持った時に最も力の入りやすい位置に設けることができ、搬送性を向上させることができる。
【００１５】
第２の発明は、第１の発明において、前記下把手となる凹部は冷蔵庫本体底面の前後方向の中心から手前側部分の間の底面に形成した構成としてある。
【００１６】
これにより、下把手に手をかけて冷蔵庫本体を持ち上げ、階段等を運ぶ時、冷蔵庫本体の底面角部が階段等に当るようなことを防止でき、冷蔵庫の搬送性を更に良好なものとすることができる。
【００１７】
第３の発明は、第１または第２の発明において、前記冷蔵庫本体はその下部底面を発泡断熱材で断熱するとともに、冷蔵庫本体底部に設けた凹部の把手部材上面に対向させて冷凍サイクルの放熱パイプを敷設した構成としてある。
【００１８】
これにより、冷蔵庫本体底部に把手を凹設してその部分の発泡断熱材が薄くなってしまうことによって生じる障害を防止し、信頼性の高いものとすることができる。すなわち、冷蔵庫本体底部に把手を凹設すると、その部分の発泡断熱材が薄くなって凹部に装着した把手部材が冷蔵庫本体内の貯蔵室から冷輻射を受けて低温化しこれに大気中の水分が結露して床面に滴下し、床面を濡らす等の障害が発生する恐れがある。しかしながら、この発明では上記凹部の把手部材上面にこれと対向させて放熱パイプを敷設しているから、放熱パイプからの熱によって把手部材の低温化を防止でき、把手部材に結露が生じてこれが床面に滴下し床面を濡らすようなことを防止でき、信頼性を高めることができるのである。
【００１９】
第４の発明は、第３の発明において、前記冷蔵庫本体の底部には発泡断熱材に加え真空
断熱板を敷設した構成としてある。
【００２０】
これにより、冷蔵庫本体内の貯蔵室からの冷輻射による把手部材の低温化をより確実に防止でき、床面を結露水で濡らすような障害を更に確実に防止し、信頼性を高めることができる。
【００２１】
第５の発明は、第４の発明において、前記真空断熱材は冷蔵庫本体の貯蔵室を形成する内箱底面に貼りつけ、内箱底面とは反対の把手部材を設けた下面側部分に発泡断熱材を充填発泡した構成としてある。
【００２２】
これにより、把手部材を設けたことによって凹凸部分が多くなる下面側部分の細部まで発泡断熱材を充填させて断熱することができ、冷蔵庫本体底面の断熱性を高いものとすることができる。
【００２３】
第６の発明は、第１〜第５の発明において、前記把手部材には放熱パイプを固定する係合部を設けた構成としてある。
【００２４】
これにより、冷蔵庫本体の底部に発泡断熱材を充填発泡させたときに放熱パイプが発泡断熱材の発泡圧により移動して把手部材から位置ずれしてしまうことを防止でき、把手部材の低温化を確実に防止し信頼性を一段と高めることができる。
【００２５】
以下、本発明の実施の形態について、図面を参照しながら説明する。なお、この実施の形態によって本発明が限定されるものではない。
【００２６】
（実施の形態１）
図１は本発明の実施の形態１における冷蔵庫の斜視図、図２は同実施の形態１における冷蔵庫の縦断面図、図３は同実施の形態１における冷蔵庫の冷蔵庫本体下部底面の断面図、図４は同実施の形態１における冷蔵庫の下把手部分の断面図、図５は同実施の形態１における冷蔵庫の冷蔵庫本体の底面図、図６は同実施の形態１における冷蔵庫の冷蔵庫本体底面を示す斜視図、図７は同実施の形態１における冷蔵庫の冷蔵庫本体底面を示す分解斜視図、図８（ａ）（ｂ）は同実施の形態１における冷蔵庫の下把手を示す斜視図、同（ｃ）は下把手の断面図、図９は同実施の形態１における冷蔵庫の搬送状態を示す説明図である。
【００２７】
図１〜図５において、本実施の形態に係る冷蔵庫は、前方を開口した冷蔵庫本体１を備え、この冷蔵庫本体１は、主に鋼板を用いた外箱２と、ＡＢＳなどの硬質樹脂で成型された内箱３と、前記外箱２と内箱３との間に発泡充填された硬質発泡ウレタンなどの発泡断熱材４とから構成されている。
【００２８】
冷蔵庫本体１は、断熱性の仕切板５．６によって複数の貯蔵室に区分されており、冷蔵庫本体１の最上部には冷蔵室７、その冷蔵室７の下部には上下二段の冷凍室８，９、更にその下部に野菜室１０が配置されていて、前記各貯蔵室の前面開口部は、観音開き式の冷蔵室扉１１、引出式の冷凍室扉１２ａ、１２ｂ、同引出式の野菜室扉１３によって開閉可能に閉塞されている。
【００２９】
また、冷蔵庫本体１の上部後方領域には機械室１４が設けられている。機械室１４には、圧縮機１５、水分除去を行うドライヤ（図示せず）等の冷凍サイクルの高圧側構成部品が収容されている。
【００３０】
また、前記冷蔵庫本体１の冷凍室背面には冷気を生成する冷却室１６が設けられており
、冷却室１６からは各室に冷気を供給する冷気通路１７が形成されている。冷却室１６内には冷却器１８が配設されており、冷却器１８の上部には冷却ファン１９が配置されている。前記冷却ファン１９は、冷却器１８により生成された冷気を、冷気通路１７を介して、冷蔵室７、上段冷凍室８，下段冷凍室９、野菜室１０に強制循環させ各室を冷却する。
【００３１】
ここで、前記冷蔵庫本体１の上部後方左右には上把手２０が設けてある。この上把手２０の各中心寄り部分２０ａは人の肩幅程度のところまで位置する構成としてある。
【００３２】
また、前記冷蔵庫本体１の下部底面には冷蔵庫本体１を支持する足部材２１と冷蔵庫本体搬送時に手を掛ける下把手２２が設けてある。
【００３３】
前記下把手２２は冷蔵庫本体１の外箱２と内箱３との間に充填した発泡断熱材４に内箱３側に向かって窪む凹部２３を設け、この凹部２３に把手部材２４を埋設して下把手２２としてある。
【００３４】
前記把手部材２４は、図８に示すように、手挿入開口２５から一辺側（図８（ｃ）中左側）に屈曲する手挿入部２６を構成する箱状の把手本体２７を備え、この把手本体２７の前記手挿入開口２５周囲にフランジ２８を形成するとともに、前記把手本体２７の手挿入部終端側の上面に係合部２９を形成して構成してある。そして、前記把手本体２７の手挿入部終端側から冷蔵庫本体１の外箱２底面に形成されている凹部用開口３０に把手本体２７を挿入して、そのフランジ２８で凹部用開口３０の外周を覆う形で外箱２底面に装着し、外箱２と内箱３との間に充填発泡した発泡断熱材４によって発泡断熱材４中に埋設固着してある。これによって、冷蔵庫本体下部底面の発泡断熱材４に形成される凹部２３自体が下把手２２となる形となっている。
【００３５】
なお、図８中、３１は把手本体２７に一体形成した係合リブで、前記フランジ２８との間に外箱２の凹部用開口３０周縁部分を挟み込んで外箱２に把手本体２７を係合仮固定させるものである。
【００３６】
また、前記冷蔵庫本体１の下部底面の外箱２と内箱３との間には、図３、図４及び図６、図７に示すように冷凍サイクルを構成する放熱パイプ３２が敷設してある。この放熱パイプ３２は前記下把手２２の把手本体２７上面に対向する様に敷設してあり、把手本体２７上面に形成した係合部２９に嵌め込んで把手本体２７上面に固定してある。そして、前記冷蔵庫本体１の下部底面の外箱２と内箱３との間の内箱底面に真空断熱板３３を貼りつけて、冷蔵庫本体１の底面を発泡断熱材４とともに断熱する構成としてある。
【００３７】
なお、この実施の形態では冷蔵庫本体１の下部底面の手前側部分に、従来と同様、底面投影面積より手前側に突出した把手３４が設けてある。
【００３８】
以上のように構成された冷蔵庫について、以下その動作、作用を説明する。
【００３９】
まずこの実施の形態の冷蔵庫は、冷蔵庫本体１の下部底面に設けた凹部２３に把手部材２４を装着して、当該凹部２３自体を下把手２２としているので、凹部２３と対向させて別途把手を設ける必要がなくなり、その分冷蔵庫本体１の底面を低くして冷蔵庫本体１の内容積を大きく確保することができる。
【００４０】
また、上記下把手２２は、冷蔵庫本体１の足部材２１とは別部材である本体底面に形成しているから、足部材２１の位置によってその設置位置に制約を受けることがなく、任意の位置に設けることができる。
【００４１】
したがって、本実施の形態では、前記下把手２２はその左右の間隔が人の肩幅と略等しくなるような位置関係に形成してある。これにより、作業者が下把手２２を持って冷蔵庫本体１を持ち上げたとき作業者の脇が広がって腕に力が入らなくなる、ということを解消することができる。したがって、大型の冷蔵庫や、大型でなおかつ意匠性を向上させるべく扉前板をガラス板で構成するなどして重量が重くなった冷蔵庫であっても、容易に持ち上げて搬送することができる。
【００４２】
更に、この実施の形態の下把手２２は人の肩幅と略等しい位置関係であって、さらに冷蔵庫本体１の下部底面の前後方向中央から手前側端縁との間、すなわち、冷蔵庫本体１の底面の手前側端縁よりも後方寄り部分に設けてある。これにより、この冷蔵庫は、冷蔵庫本体１の上把手２０と下部底面の下把手２２とを持って搬送する際、図９に示すように冷蔵庫本体１の底面後方端縁１ａは床面Ｘから比較的高いところに位置することになる。よって、階段等を搬送するときにこの冷蔵庫本体１の底面後方端縁１ａが階段の角に当るようなことがなくなり、階段での搬送が容易に行えるようになる。
【００４３】
なお、上記下把手２２の設置位置は冷蔵庫本体１の下部底面の前後方向中央から手前側端縁との間であればどの位置であってもよいが、冷蔵庫本体１の下部底面の前後方向中央寄り部分に設ける方がより冷蔵庫本体１の底面後方端縁１ａが階段に当らないようにする効果が得られるとともに、上把手２０と下把手２２との間の距離がより短くなることによって搬送時の冷蔵庫本体１の傾きにより下把手２２に掛る重量を軽減することができ、効果的である。
【００４４】
一方、この冷蔵庫は冷蔵庫本体１の下部底面に凹部２３を設けてここに把手部材２４を埋設することにより下把手２２としているので、冷蔵庫本体１の底部に充填発泡させた発泡断熱材４の凹部２３部分の厚みが薄くなる。その結果、この凹部２３部分の断熱性が低下して把手部材２４が冷蔵庫本体１内の貯蔵室から冷輻射を受けて低温化しこれに大気中の水分が結露して床面に滴下することにより床面を濡らす等の障害が発生することが懸念される。
【００４５】
しかしながら、この冷蔵庫では、前記凹部２３の把手部材２４上面にはこれと対向させて放熱パイプ３２を敷設しているから、この放熱パイプ３２からの熱によって把手部材２４の低温化が防止される。したがって、冷蔵庫本体１内部の貯蔵室から冷輻射を受けていても把手部材２４が低温化するのを防止できる。よって、把手部材２４に結露が生じてこれが床面に滴下し床面を濡らすようなことを防止でき、信頼性を高めることができる。
【００４６】
また、この実施の形態では、前記冷蔵庫本体１の底部に発泡断熱材４とともに真空断熱板３３が敷設してある。これにより、冷蔵庫本体底面の断熱性は非常に高いものとなり、冷蔵庫本体１内の貯蔵室からの冷輻射による把手部材２４の低温化をより確実に防止でき、床面を結露水で濡らすような障害を更に確実に防止し、信頼性を一段と高めることができる。
【００４７】
しかも、前記真空断熱板３３は冷蔵庫本体１の貯蔵室を形成する内箱３底面に貼りつけ、内箱３とは反対の下面側に発泡断熱材４を充填発泡した構成としてあるから、把手部材２４を設けて凹凸部分が多くなる下面側部分の細部まで発泡断熱材４を充填させて隙間なく断熱することができる。これにより、冷蔵庫本体底面の断熱性をより向上させて把手部材２４の低温化による結露水滴下を防止し、更に信頼性を高めることができる。
【００４８】
また、前記把手部材２４には係合部２９を設けて、この係合部２９により放熱パイプ３２を把手部材２４に固定しているから、冷蔵庫本体１の底部に発泡断熱材４を充填発泡させたときその発泡圧により放熱パイプ３２が移動して把手部材２４からずれるのを防止で
きる。したがって、放熱パイプ３２からの熱による把手部材２４の低温化防止を確実かつ効率よく行うことができ、把手部材２４の低温化による結露水滴下を確実に防止して信頼性を高めることができる。
【００４９】
また、上記把手部材２４の係合部２９は図８（ａ）（ｂ）に示すように二個一対形式で形成してあるから、左右いずれ側の把手部材２４としても兼用することができ、部品の共用化によるコストダウンが可能となる。
【００５０】
また、本実施の形態では、冷蔵庫本体１の下部底面の手前側部分に前記下把手２２とは別に従来と同様底面投影面積より手前側部分に位置する把手３４が設けてあるので、設置場所まで運び終えた冷蔵庫本体１を直立させるとき、この底面投影面積より手前側に突出した把手３４を持って行えば安全かつ容易に冷蔵庫本体１を立てることができ、使い勝手の良いものとなる。
【００５１】
以上、本発明に係る冷蔵庫について、上記実施の形態を用いて説明したが、本発明は、これに限定されるものではない。すなわち、今回開示された実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【産業上の利用可能性】
【００５２】
以上のように、本発明は、冷蔵庫本体の内容積減少を少ないものとすることできると同時に手掛けが容易で力も入れやすく搬送のしやすい冷蔵庫とすることができる。よって、家庭用冷蔵庫をはじめとして業務用冷蔵庫、自動販売機など他の冷凍冷蔵応用商品にも広く適用できる。
【符号の説明】
【００５３】
１  冷蔵庫本体
２  外箱
３  内箱
４  発泡断熱材
５、６  仕切板
７  冷蔵室
８  上段冷凍室
９  下段冷凍室
１０  野菜室
１１  冷蔵室扉
１２ａ、１２ｂ  冷凍室扉
１３  野菜室扉
１４  機械室
１５  圧縮機
１６  冷却室
１７  冷気通路
１８  冷却器
１９  冷却ファン
２０  上把手
２１  足部材
２２  下把手
２３  凹部
２４  把手部材
２５  手挿入開口
２６  手挿入部
２７  把手本体
２８  フランジ
２９  係合部
３０  凹部用開口
３１  係合リブ
３２  放熱パイプ
３３  真空断熱板
３４  把手
【図１】
0006476412.tif 000002
【図２】
0006476412.tif 000003
【図３】
0006476412.tif 000004
【図４】
0006476412.tif 000005
【図５】
0006476412.tif 000006
【図６】
0006476412.tif 000007
【図７】
0006476412.tif 000008
【図８】
0006476412.tif 000009
【図９】
0006476412.tif 000010
【図１０】
0006476412.tif 000011